(57)【特許請求の範囲】
【請求項１】
古紙収納時に長方形の底面が形成されるプラスチックフイルム製の古紙回収袋において、両側縁にガゼット部を有し、下縁が袋の幅方向に平行な２本の下縁溶着線により直線状に溶着され、ガゼット部フイルムと袋表面フイルムの各１対が、袋下縁のガゼット内折り端から袋両側縁に達する傾斜溶着線により溶着され、袋両側縁からガゼット部の折り込み幅より狭い位置において、各２枚の袋表面フイルムとガゼット部フイルムを貫通し、袋上縁より袋下縁に達する１対の直線状のミシン目が設けられ、古紙収納時に袋上縁より縁底面に達する４組のミシン目が袋の四隅に形成され、古紙収納後に該ミシン目において切断することにより、収納された古紙を結束する十文字状のテープが袋の側面に形成されることを特徴とする古紙回収袋。
【請求項２】
古紙収納時に長方形の底面が形成されるプラスチックフイルム製の古紙回収袋において、両側縁にガゼット部を有し、下縁が袋の幅方向に平行な２本の下縁溶着線により直線状に溶着され、ガゼット部フイルムと袋表面フイルムの各１対が、袋下縁のガゼット内折り端から袋両側縁に達するそれぞれ平行な２本の傾斜溶着線により溶着され、袋両側縁からガゼット部の折り込み幅より狭い位置において、各２枚の袋表面フイルムとガゼット部フイルムを貫通し、袋上縁より袋下縁に達する１対の直線状のミシン目が設けられ、古紙収納時に袋上縁より縁底面に達する４組のミシン目が袋の四隅に形成され、古紙収納後に該ミシン目において切断することにより、収納された古紙を結束する十文字状のテープが袋の側面に形成されることを特徴とする古紙回収袋。
【請求項３】
古紙収納時に長方形の底面が形成されるプラスチックフイルム製の古紙回収袋において、両側縁にガゼット部を有し、下縁が袋の幅方向に平行な２本の下縁溶着線により直線状に溶着され、ガゼット部フイルムと袋表面フイルムの各１対が、袋下縁のガゼット内折り端において下縁溶着線に略垂直に交わり、下縁溶着線の近傍で湾曲して袋両側縁に達する傾斜溶着線により溶着され、袋両側縁からガゼット部の折り込み幅より狭い位置において、各２枚の袋表面フイルムとガゼット部フイルムを貫通し、袋上縁より袋下縁に達する１対の直線状のミシン目が設けられ、古紙収納時に袋上縁より縁底面に達する４組のミシン目が袋の四隅に形成され、古紙収納後に該ミシン目において切断することにより、収納された古紙を結束する十文字状のテープが袋の側面に形成されることを特徴とする古紙回収袋。
【請求項４】
長尺のチューブ状のプラスチックフイルムを移送しつつ、（１）両側縁に１対のＶ字形のガゼット部を有する帯状フイルムを形成し、（２）帯状フイルムの両側縁よりガゼット部の折り込み幅より短い位置に、帯状フイルムの長手方向に各２枚の表面フイルムとガゼット部フイルムを貫通する２本のミシン目を入れ、（３）ガゼット部の間に断熱性の受け台を挿入し、受け台の両側から熱溶着刃を押し付けて帯状フイルムの各１枚の表面フイルムとガゼット部フイルムをハの字形に溶着して傾斜溶着線を形成し、（４）ハの字形の傾斜溶着線の上端において、各２枚の表面フイルムとガゼット部フイルムのすべてを帯状フイルムの幅方向に平行な２本の下縁溶着線により直線状に溶着し、（５）ハの字形の傾斜溶着線が袋の底部となるように下縁溶着線の外側で切断することを特徴とする古紙回収袋の製造方法。
【発明の詳細な説明】
【０００１】
【発明の属する技術分野】
本発明は、古紙回収袋及びその製造方法に関する。さらに詳しくは、本発明は、古紙収納時には長方形の底面を有する袋形状をなし、古紙収納後に袋に設けられたミシン目において切断することにより、袋の側面に丈夫な十文字状の結束テープが形成され、該テープにより古紙を結束することができる古紙回収袋及びその製造方法に関する。
【０００２】
【従来の技術】
新聞、チラシ、雑誌などの古紙の回収と再利用は、パルプ原木資源の節約と国内外の森林資源の温存につながる。また、古紙を回収し再利用することにより、固形廃棄物としての自治体によるゴミ収集と処理への負担を軽減することができる。古紙の利用は、パルプの代替として経済的に有利であるばかりでなく、資源環境問題への寄与が大きい。このために、各家庭からの新聞などの古紙の回収が積極的に進められている。
回収された古紙は、古紙集荷段階において選別が行われる。この工程は人手に頼らざるを得ないが、以後の機械的処理や古紙パルプの品質への影響が大きい。従来、新聞、チラシ、雑誌などの古紙は、紙袋又はプラスチックフイルム製の袋に収納され、各家庭より回収されていた。しかし、古紙を選別するためには、いったん袋から取り出す必要があり、多くの手間がかかっていた。このために、古紙集荷業者より、袋に収納した状態でなく、紐でしばった状態で各家庭より古紙を提供してほしいという要望が出されるようになった。紐でしばった状態であれば、紐を切断することにより、容易に選別する状態とすることができる。
しかし、一般家庭において、古紙を紐でしばった状態で提供することは、それほど簡単なことではない。読了後の新聞は、不規則に折り畳まれた状態となりやすく、さらにチラシや雑誌が加わると、そのままで積み重ねることは困難であり、いったん袋に収納したのち取り出して、あらためて紐でしばったり、あるいは、あらかじめ紐を設置しておくことができる特殊なプラスチック容器などを用いる必要があった。
このために、家庭において、手間をかけることなく、簡単に古紙を紐でしばった状態とすることができる古紙の収納手段が求められていた。
【０００３】
【発明が解決しようとする課題】
本発明は、古紙収納時には長方形の底面を有する袋形状をなし、古紙収納後に袋に設けられたミシン目において切断することにより、袋の側面に丈夫な十文字状の結束テープが形成され、該テープにより古紙を結束することができる古紙回収袋及びその製造方法を提供することを目的としてなされたものである。
【０００４】
【課題を解決するための手段】
本発明者は、上記の課題を解決すべく鋭意研究を重ねた結果、古紙収納時に長方形の底面が形成される古紙回収袋において、袋上縁より縁底面に達する４組のミシン目を袋の四隅に設け、古紙収納後にミシン目において切断することにより袋の側面に結束テープを形成し、該テープにより古紙を結束することにより、容易に古紙を紐でしばった状態とすることができ、かつ、袋の側面に形成される１対の結束テープが、相互に２本の溶着線により溶着された状態とすることにより、丈夫な結束テープとなし得ることを見いだし、この知見に基づいて本発明を完成するに至った。
すなわち、本発明は、
（１）古紙収納時に長方形の底面が形成されるプラスチックフイルム製の古紙回収袋において、両側縁にガゼット部を有し、下縁が袋の幅方向に平行な２本の下縁溶着線により直線状に溶着され、ガゼット部フイルムと袋表面フイルムの各１対が、袋下縁のガゼット内折り端から袋両側縁に達する傾斜溶着線により溶着され、袋両側縁からガゼット部の折り込み幅より狭い位置において、各２枚の袋表面フイルムとガゼット部フイルムを貫通し、袋上縁より袋下縁に達する１対の直線状のミシン目が設けられ、古紙収納時に袋上縁より縁底面に達する４組のミシン目が袋の四隅に形成され、古紙収納後に該ミシン目において切断することにより、収納された古紙を結束する十文字状のテープが袋の側面に形成されることを特徴とする古紙回収袋、
（２）古紙収納時に長方形の底面が形成されるプラスチックフイルム製の古紙回収袋において、両側縁にガゼット部を有し、下縁が袋の幅方向に平行な２本の下縁溶着線により直線状に溶着され、ガゼット部フイルムと袋表面フイルムの各１対が、袋下縁のガゼット内折り端から袋両側縁に達するそれぞれ平行な２本の傾斜溶着線により溶着され、袋両側縁からガゼット部の折り込み幅より狭い位置において、各２枚の袋表面フイルムとガゼット部フイルムを貫通し、袋上縁より袋下縁に達する１対の直線状のミシン目が設けられ、古紙収納時に袋上縁より縁底面に達する４組のミシン目が袋の四隅に形成され、古紙収納後に該ミシン目において切断することにより、収納された古紙を結束する十文字状のテープが袋の側面に形成されることを特徴とする古紙回収袋、
（３）古紙収納時に長方形の底面が形成されるプラスチックフイルム製の古紙回収袋において、両側縁にガゼット部を有し、下縁が袋の幅方向に平行な２本の下縁溶着線により直線状に溶着され、ガゼット部フイルムと袋表面フイルムの各１対が、袋下縁のガゼット内折り端において下縁溶着線に略垂直に交わり、下縁溶着線の近傍で湾曲して袋両側縁に達する傾斜溶着線により溶着され、袋両側縁からガゼット部の折り込み幅より狭い位置において、各２枚の袋表面フイルムとガゼット部フイルムを貫通し、袋上縁より袋下縁に達する１対の直線状のミシン目が設けられ、古紙収納時に袋上縁より縁底面に達する４組のミシン目が袋の四隅に形成され、古紙収納後に該ミシン目において切断することにより、収納された古紙を結束する十文字状のテープが袋の側面に形成されることを特徴とする古紙回収袋、及び、
（４）長尺のチューブ状のプラスチックフイルムを移送しつつ、（１）両側縁に１対のＶ字形のガゼット部を有する帯状フイルムを形成し、（２）帯状フイルムの両側縁よりガゼット部の折り込み幅より短い位置に、帯状フイルムの長手方向に各２枚の表面フイルムとガゼット部フイルムを貫通する２本のミシン目を入れ、（３）ガゼット部の間に断熱性の受け台を挿入し、受け台の両側から熱溶着刃を押し付けて帯状フイルムの各１枚の表面フイルムとガゼット部フイルムをハの字形に溶着して傾斜溶着線を形成し、（４）ハの字形の傾斜溶着線の上端において、各２枚の表面フイルムとガゼット部フイルムのすべてを帯状フイルムの幅方向に平行な２本の下縁溶着線により直線状に溶着し、（５）ハの字形の傾斜溶着線が袋の底部となるように下縁溶着線の外側で切断することを特徴とする古紙回収袋の製造方法、
を提供するものである。
【０００５】
【発明の実施の形態】
本発明の古紙回収袋の第１の態様は、古紙収納時に長方形の底面が形成されるプラスチックフイルム製の古紙回収袋において、両側縁にガゼット部を有し、下縁が袋の幅方向に平行な２本の下縁溶着線により直線状に溶着され、ガゼット部フイルムと袋表面フイルムの各１対が、袋下縁のガゼット内折り端から袋両側縁に達する傾斜溶着線により溶着され、袋両側縁からガゼット部の折り込み幅より狭い位置において、各２枚の袋表面フイルムとガゼット部フイルムを貫通し、袋上縁より袋下縁に達する１対の直線状のミシン目が設けられ、古紙収納時に袋上縁より縁底面に達する４組のミシン目が袋の四隅に形成され、古紙収納後に該ミシン目において切断することにより、収納された古紙を結束する十文字状のテープが袋の側面に形成される古紙回収袋である。
図１(ａ)は、本発明の古紙回収袋の第１の態様の畳まれた状態を示す側面図であり、図１(ｂ)は、図１(ａ)のＡ−Ａ線切断部端面図であり、図１(ｃ)は、ミシン目において切断して切除部を除去したときの底面を下方より眺めた状態を示す部分展開図であり、図１(ｄ)は、古紙回収袋を開いた状態を示す斜視図であり、図１(ｅ)は、収納された古紙をテープにより結束した状態を示す斜視図である。本態様の古紙回収袋は、両側縁１にガゼット部２を有し、袋の下縁が幅方向に平行な２本の下縁溶着線３により直線状に溶着され、ガゼット部フイルム４と袋表面フイルム５の各１対が、ガゼット内折り端６から、袋両側縁に達する傾斜溶着線７により溶着されている。また、２枚の袋表面フイルムと２枚のガゼット部フイルムの合計４枚のフイルムを貫通し、袋上縁より縁下縁に達する１対の直線状のミシン目８が設けられている。このミシン目は、図１(ｂ)の一点鎖線Ｂの位置に設けられ、袋のミシン目の外側の部分が切除部９となる。平行な２本の下縁溶着線の間隔は、１〜１５mmであることが好ましく、５〜１０mmであることがより好ましい。
本態様の古紙回収袋を開くと、傾斜溶着線７と側縁１の交点１０が、底面の長方形の頂点となって、図１(ｄ)に示す状態の天面が開いた直方体状の袋となる。この袋へ古紙を収納したのち、直方体の側面の四隅に形成されている切除部９を４組のミシン目８において切断して除去することにより、直方体の側面に底面の長辺側のテープ１１と底面の短辺側のテープ１２が十文字状に形成されるので、このテープにより収納された古紙を結束して図１(ｅ)に示す状態として、回収に寄託することができる。図１(ｃ)に示すように、底面の長辺側のテープ１１は、２本の下縁溶着線３により相互に丈夫に溶着されており、底面の短辺側のテープ１２は、傾斜溶着線７により長辺側のテープと溶着されているので、各テープの結合部は収納された古紙を結束して取り扱うために必要にして十分な強度を有している。
【０００６】
本発明に使用するプラスチックフイルムに特に制限はなく、例えば、低密度ポリエチレン、高密度ポリエチレン、線状低密度ポリエチレン、ポリプロピレンなどを挙げることができる。本発明の古紙回収袋の寸法に特に制限はなく、収納する古紙の種類に応じて適宜選択することができる。新聞古紙回収袋として使用する場合は、底面の長辺と短辺が、それぞれ３４cm程度と２６cm程度であることが好ましい。
本発明の古紙回収袋を使用するときは、袋を開いて図１(ｄ)に示す長方形の底面を有する状態とする。この状態においては、本発明の古紙回収袋は、その形態において、従来の紙製やプラスチックフイルム製の古紙回収袋となんら異なる点はないので、例えば、読了後の新聞紙を折り畳んで逐次投入していくと、投入された新聞紙は袋の形状にしたがっておおむね揃えられ、積み重ねられていく。袋の中の古紙が適当な量に達したとき、ミシン目において切断することにより切除部を除去すると、袋の側面には収納された古紙を結束するテープが形成されるので、テープにより古紙を結束して回収に寄託することができる。
本発明の古紙回収袋を使用することにより、古紙収納時には袋の状態で簡便に古紙を収納することができ、古紙を回収に寄託するときには、手間をかけることなくテープで結束した状態とすることができる。本発明の古紙回収袋は、プラスチックフイルム製なので、形成される古紙を結束するテープは、回収時の取り扱いに必要な強度を有する一方、古紙選別場において容易に切断することができる。従来、時として強度の大きい延伸テープヤーンなどにより古紙が結束されて回収に寄託され、ヤーンの切断に手間どる場合も見られたが、本発明の古紙回収袋を使用することにより、このような作業上の問題は解消する。
【０００７】
本発明の古紙回収袋の第２の態様は、古紙収納時に長方形の底面が形成されるプラスチックフイルム製の古紙回収袋において、両側縁にガゼット部を有し、下縁が袋の幅方向に平行な２本の下縁溶着線により直線状に溶着され、ガゼット部フイルムと袋表面フイルムの各１対が、袋下縁のガゼット内折り端から袋両側縁に達するそれぞれ平行な２本の傾斜溶着線により溶着され、袋両側縁からガゼット部の折り込み幅より狭い位置において、各２枚の袋表面フイルムとガゼット部フイルムを貫通し、袋上縁より袋下縁に達する１対の直線状のミシン目が設けられ、古紙収納時に袋上縁より縁底面に達する４組のミシン目が袋の四隅に形成され、古紙収納後に該ミシン目において切断することにより、収納された古紙を結束する十文字状のテープが袋の側面に形成される古紙回収袋である。
図２(ａ)は、本発明の古紙回収袋の第２の態様の畳まれた状態を示す側面図であり、図２(ｂ)は、図２(ａ)のＡ−Ａ線切断部端面図であり、図２(ｃ)は、ミシン目において切断して切除部を除去したときの底面を下方より眺めた状態を示す部分展開図である。本態様の古紙回収袋は、下縁溶着線３のみならず、ガゼット部フイルム４と表面フイルム５の各１対を溶着する傾斜溶着線７も、それぞれ平行な２本の溶着線となっている。平行な２本の下縁溶着線及び平行な２本の傾斜溶着線の間隔は、いずれも１〜１５mmであることが好ましく、５〜１０mmであることがより好ましい。また、２枚の袋表面フイルムと２枚のガゼット部フイルムの合計４枚のフイルムを貫通し、袋上縁より縁下縁に達する１対の直線状のミシン目８が、図２(ｂ)の一点鎖線Ｂの位置に設けられている。
本態様の古紙回収袋は、底面の長辺側のテープ１１を相互に結合する下縁溶着線３と、底面の長辺側のテープ１と短辺側のテープ１２を結合する傾斜溶着線７が、いずれも２本の溶着線となっているので、各テープの結合部の強度が高く、重量の大きい古雑誌、書物などの古紙の結束に適している。
【０００８】
本発明の古紙回収袋の第３の態様は、古紙収納時に長方形の底面が形成されるプラスチックフイルム製の古紙回収袋において、両側縁にガゼット部を有し、下縁が袋の幅方向に平行な２本の下縁溶着線により直線状に溶着され、ガゼット部フイルムと袋表面フイルムの各１対が、袋下縁のガゼット内折り端において下縁溶着線に略垂直に交わり、下縁溶着線の近傍で湾曲して袋両側縁に達する傾斜溶着線により溶着され、袋両側縁からガゼット部の折り込み幅より狭い位置において、各２枚の袋表面フイルムとガゼット部フイルムを貫通し、袋上縁より袋下縁に達する１対の直線状のミシン目が設けられ、古紙収納時に袋上縁より縁底面に達する４組のミシン目が袋の四隅に形成され、古紙収納後に該ミシン目において切断することにより、収納された古紙を結束する十文字状のテープが袋の側面に形成される古紙回収袋である。
図３(ａ)は、本発明の古紙回収袋の他の態様の側面図であり、図３(ｂ)は、図３(ａ)のＡ−Ａ線切断部端面図であり、図３(ｃ)は、ミシン目において切断して切除部を除去したときの底面を下方から眺めた部分平面図である。本態様の古紙回収袋は、ガゼット部フイルム４と表面フイルム５の各１対を溶着する傾斜溶着線７が下縁溶着線３の近傍で湾曲し、傾斜溶着線と下縁溶着線が略垂直に交わっている。平行な２本の下縁溶着線の間隔は、１〜１５mmであることが好ましく、５〜１０mmであることがより好ましい。また、２枚の袋表面フイルムと２枚のガゼット部フイルムの合計４枚のフイルムを貫通し、袋上縁より縁下縁に達する１対の直線状のミシン目８が、図３(ｂ)の一点鎖線Ｂの位置に設けられている。
本態様の古紙回収袋は、図３(ｃ)に見られるように、底面の長辺側のテープ１１と底面の短辺側のテープ１２を結合する傾斜溶着線７が、下縁溶着線３の近傍において、底辺の短辺側のテープの長さ方向に対して略垂直となり、古紙を結束して持ち上げたとき、底辺の短辺側のテープにかかる応力が一点に集中することがないので、重量の大きい古雑誌、書物などの古紙の結束に適している。
【０００９】
本発明の古紙回収袋の製造方法においては、長尺のチューブ状のプラスチックフイルムを移送しつつ、(１)両側縁に１対のＶ字形のガゼット部を有する帯状フイルムを形成し、(２)帯状フイルムの両側縁よりガゼット部の折り込み幅より短い位置に、帯状フイルムの長手方向に各２枚の表面フイルムとガゼット部フイルムを貫通する２本のミシン目を入れ、(３)ガゼット部の間に断熱性の受け台を挿入し、受け台の両側から熱溶着刃を押し付けて帯状フイルムの各１枚の表面フイルムとガゼット部フイルムをハの字形に溶着して傾斜溶着線を形成し、(４)ハの字形の傾斜溶着線の上端において、各２枚の表面フイルムとガゼット部フイルムのすべてを帯状フイルムの幅方向に平行な２本の下縁溶着線により直線状に溶着し、(５)ハの字形の傾斜溶着線が袋の底部となるように下縁溶着線の外側で切断する。
図４は、本発明の古紙回収袋の製造方法の一態様の工程説明図である。長尺のチューブ状のプラスチックフイルム１３を連続的にガゼッター１４に移送し、両側縁に１対のＶ字形のガゼット部１５を有する帯状フイルム１６を形成する。次に、帯状フイルムの両側縁よりガゼット部の折り込み幅より短い位置に、ミシン刃１７により、帯状フイルムの長手方向に２枚の表面フイルムと２枚のガゼット部フイルムの合計４枚のフイルムを貫通する２本のミシン目１８を入れる。次いで、好ましくは帯状フイルムの移送方式をピッチ移送に切り替え、ガゼット部の間に断熱性の受け台１９を挿入し、受け台の両側からハの字形の熱溶着刃２０を押し付け、帯状フイルムの各１枚の表面フイルムとガゼット部フイルムを溶着してハの字形の傾斜溶着線２１を形成する。さらに、ハの字形の傾斜溶着線の上端２２において、平行な２枚の直線状の熱溶着刃２３により、２枚の表面フイルムと２枚のガゼット部フイルムのすべてを帯状フイルムの幅方向に平行な２本の下縁溶着線により直線状に溶着し、切断刃２４によりハの字形の傾斜溶着線が袋の底部となるように下縁溶着線の外側で切断して、図１に示す態様の古紙回収袋２５を得る。
図２に示す態様の古紙回収袋は、図４において、ハの字形の熱溶着刃２０を、それぞれ平行な２枚の熱溶着刃とすることにより製造することができる。また、図３に示す態様の古紙回収袋は、図４において、ハの字形の熱溶着刃２０の上端を帯状フイルムの長手方向に湾曲させることにより製造することができる。
図５は、本発明の古紙回収袋の製造方法の他の態様の説明図である。本態様においては、図５(ａ)に示すように、ハの字形の熱溶着刃２組が向かい合わせに組み合わされて、Ｖ字形の溶着線２６を形成し、熱溶着刃によりＣ−Ｃ線を中央にして４本の下縁溶着線を形成したのち、Ｃ−Ｃ線とＤ−Ｄ線で切断することにより、本発明の古紙回収袋２５を得る。
【００１０】
【発明の効果】
本発明の古紙回収袋は、古紙収納時には長方形の底面を有する袋形状をなし、古紙収納後に袋に設けられたミシン目において切断することにより、袋の側面にテープが形成され、該テープにより古紙を結束することにより、手間をかけることなく、簡単に古紙を紐でしばった状態とすることができる。また、本発明の古紙回収袋の製造方法によれば、このような古紙回収袋を簡単な工程により、容易かつ経済的に製造することができる。
【図面の簡単な説明】
【図１】図１は、本発明の古紙回収袋の第１の態様の側面図、切断部端面図、部分展開図及び斜視図である。
【図２】図２は、本発明の古紙回収袋の第２の態様の側面図、切断部端面図及び部分展開図である。
【図３】図３は、本発明の古紙回収袋の第３の態様の側面図、切断部端面図及び部分展開図である。
【図４】図４は、本発明の古紙回収袋の製造方法の一態様の工程説明図である。
【図５】図５は、本発明の古紙回収袋の製造方法の他の態様の説明図である。
【符号の説明】
１  側縁
２  ガゼット部
３  下縁溶着線
４  ガゼット部フイルム
５  袋表面フイルム
６  ガゼット内折り端
７  傾斜溶着線
８  ミシン目
９  切除部
１０  傾斜溶着線と側縁の交点
１１  底面の長辺側のテープ
１２  底面の短辺側のテープ
１３  プラスチックフイルム
１４  ガゼッター
１５  Ｖ字形のガゼット部
１６  帯状フイルム
１７  ミシン刃
１８  ミシン目
１９  受け台
２０  熱溶着刃
２１  傾斜溶着線
２２  傾斜溶着線の上端
２３  熱溶着刃
２４  切断刃
２５  古紙回収袋
２６  Ｖ字形の溶着線
【図１】
0004312906.tif 000002
【図２】
0004312906.tif 000003
【図３】
0004312906.tif 000004
【図４】
0004312906.tif 000005
【図５】
0004312906.tif 000006